(57)【要約】      （修正有）【課題】構成的にシンプルで、腰に周回させているベルトに簡単にセットすることができる電動ドリルの吊持具を提供する。【解決手段】ベルトＣ内方のズボンとの間の空間Ｓを通す本体部分１と、本体部分１に付着され電動ドリルの吊持片を係止・保持する吊持片保持部２とを有し、本体部分１の概略の全体形状が帯状の形態を有するとともに、本体部分１の先端部１ａ又は当該先端部１ａの基端よりの背面側に、吊持片保持部２を設けるとともに、吊持片保持部２の基端方の部位に、自由端３ａが先端方を向いた舌片３を設ける。【選択図】図１
0003198546.tif 000002
【実用新案登録請求の範囲】
【請求項１】
ベルト内方のズボンとの間の空間を通す本体部分と、前記本体部分に付着され電動ドリルの吊持片を係止・保持する吊持片保持部とを有し、
前記本体部分の概略の全体形状が帯状の形態を有するとともに、
前記本体部分の先端部の又は当該先端部の基端よりの部位の、背面側に、前記吊持片保持部を設けるとともに、前記吊持片保持部の基端方の部位に、自由端が先端方を向いた舌片を設けたことを特徴とする電動ドリルの吊持具。
【請求項２】
前記本体部分の先端部が、その先端方が基端方に比べて幅が狭くなるような形態に構成されていることを特徴とする請求項１記載の電動ドリルの吊持具。
【請求項３】
前記本体部分の、前記先端部と前記吊持片保持部との間であってベルトの表面側に曲げられる部位が、剛性的に部分的に低く構成されていることを特徴とする請求項１又は２記載の電動ドリルの吊持具。
【請求項４】
前記剛性的に部分的に低く構成されている部位が、その前後の部位に比べて厚み的に薄く構成されることによって実現されていることを特徴とする請求項３記載の電動ドリルの吊持具。
【請求項５】
前記剛性的に部分的に低く構成されている部位が、その前後の部位に比べて幅的に狭くなった「くびれ」状の形態によって構成されていることを特徴とする請求項３記載の電動ドリルの吊持具。
【考案の詳細な説明】
【技術分野】
【０００１】
この考案は、腰の周囲にコードレス式の電動ドリル又はこれに類する工具等（この明細書および実用新案登録請求の範囲において、単に「電動ドリル」ともいう。）を吊持するための吊持具に関する。
【背景技術】
【０００２】
近年、工事現場等においてコードレス式（充電式）の電動ドリルが多用されている。かかる電動ドリルは、従来作業者がドライバーを手の力で回転させてネジ締め作業等をおこなっていたものを、単にスイッチを「ＯＮ操作」するだけで電動モータによってネジ締め作業をおこなうことができる。このため、作業の飛躍的な効率化と作業者への肉体的負担の軽減を図ることができる。
ところで、実際の工事現場等においては、前記電動ドリルでの作業とそれ以外の作業が一般的に混在する。例えば、ネジ締め作業の次に、釘打ち等の作業をするような際には、前記電動ドリルは作業者の腰に付けた吊持具に保持し、しかる後に、一方の手で釘を持ってもう一方の手で金槌を持って釘打ち作業がおこなわれる。
【０００３】
前述のような電動ドリル等の吊持具（ホルダー）の一種として、特許文献１等に記載されているようなものがある。
【先行技術文献】
【特許文献】
【０００４】
【特許文献１】特開２０１５−１６５１１公報
【考案の概要】
【考案が解決しようとする課題】
【０００５】
ところが、前記吊持具は、ズボンの複数の「ベルト通し」に通した腰のベルトの所望位置に、固定する必要があることから、次のような手間が必要となる。つまり、ベルト金具を解いてズボンの「ベルト通し」から前記ベルトを所定範囲だけ外す。しかる後に前記吊持具をベルトの所定箇所に通して、再び「ベルト通し」にベルトを通して、再び前記ベルト金具を締める必要があった。
しかも、前記ベルトには、ペンチやその他の工具のための吊持具（ホルダー）やネジや釘等の保持袋が既に通されていることが多々ある。このような状況で、前記電動ドリルの吊持具をベルトにセットするには、その都度、前記保持袋等を一度取り外して、再び通す等の厄介な作業を伴うこととなる。
なお、電動ドリルの種類によっては、前記腰のベルトの内側に差し込んでそのベルトに直に吊持するタイプのものもあるが、かかるタイプのものは、電動ドリルが身体に直接接触することとなり、また上下方向の吊持位置が不適切である等の不都合があった。
【０００６】
本考案は、このような状況に鑑みておこなわれたもので、腰に周回させているベルトに簡単にセットすることができ、しかも構成的にシンプルな電動ドリルの吊持具を提供することを目的とする。
【課題を解決するための手段】
【０００７】
本考案にかかる電動ドリルの吊持具は、ベルト内方のズボンとの間の空間を通す本体部分と、前記本体部分に付着され電動ドリルの吊持片を係止・保持する吊持片保持部とを有し、
前記本体部分の概略の全体形状が帯状の形態を有するとともに、
前記本体部分の先端部の又は当該先端部の基端よりの部位の、背面側に、前記吊持片保持部を設けるとともに、前記吊持片保持部の基端方の部位に、自由端が先端方を向いた舌片を設けたことを特徴とする。
【０００８】
前述のように構成された本考案にかかる電動ドリルの吊持具によれば、前記先端部を上端にして下方からベルトのズボン側に、つまり、ベルトとズボンとの間に挿入し、その先端部を上方へ引き上げて、前記舌片の先端をベルトの表面側へ導きながら当該舌片がベルトに係止されるまで、引っ張り上げる。  あるいは、前記本体部分の基端を下端にして、上方からベルトのズボン側に、つまり、ベルトとズボンとの間に挿入し、そのベルトの基端を下方へ引き下げて後に、前記舌片の先端をベルトの表面側へ導きながら当該舌片がベルトに係止されるまで、引っ張り上げてもよい。
そして、前記舌片がベルトに係止された状態で、前記先端部側を表面側に曲げた状態にする。前記曲げられることによって、前記吊持具の背面側に設けられた前記吊持片保持部が表側を向く。かかる吊持片保持部に、電動ドリルに付設された吊持片を係止すれば、前記電動ドリルを吊持具に保持することができる。従って、前記吊持片保持部を適当な位置に設けておけば、ベルトの上下方向の位置に影響されることなく適切な位置に電動ドリルを吊持することができることになる。
一方、前述のように吊持具に保持された電動ドリルを使用したいときには、当該電動ドリルのグリップ部分を手で把持して、前記吊持片を吊持具の吊持片保持部から上方へ引き抜けば、簡単に且つ迅速に使用することができる。
【０００９】
前記電動ドリルの吊持具において、前記本体部分の先端部が、その先端方が基端方に比べて幅が狭くなるような形態に構成されていると、ベルトのズボン方を下方から上方へ通すときに、通し易い構成となる。
【００１０】
前記電動ドリルの吊持具において、前記本体部分の、前記先端部と前記吊持片保持部との間であってベルトの表面側に曲げられる部位が、剛性的に部分的に低く構成されていると、屈曲半径を小さくして曲げることができるため、電動ドリルがベルト（体）に近接して保持することができる構成となる。
【００１１】
前記電動ドリルの吊持具において、前記剛性的に部分的に低く構成されている部位が、その前後の部位に比べて厚み的に薄く構成されることによって実現されていると、簡単な構成で実現することができる。この場合、その剛性的に低く構成されている部位のみ別の厚みが薄くなった部材を縫着して構成してもよい。
【００１２】
前記電動ドリルの吊持具において、前記剛性的に部分的に低く構成されている部位が、その前後の部位に比べて幅的に狭くなった「くびれ」状の形態によって構成されていると、簡単な構成で前記剛性の低い構成を実現することができる。この場合、その剛性的に低く構成されている部位のみ別の幅が狭くなった部材を縫着して構成してもよい。
【考案の効果】
【００１３】
本考案にかかる電動ドリルの吊持具によると、簡単に腰を周回するように付けているベルトに、当該ベルトをベルト通しに通したままの状態で、つまり、いちいちベルトを「ベルト通し」から抜くことなく、簡単に吊持具をセットすることができる。また、本考案にかかる電動ドリルの吊持具によると、構成的にシンプルな電動ドリルの吊持具を実現できる。
【図面の簡単な説明】
【００１４】
【図１】本考案の実施例にかかる電動ドリルの吊持具の外観構成を示す斜視図で、ベルトのズボン方を通そうとしている状態を示す図である。
【図２】図１のII矢視方向から見た図である。
【図３】図１，図２に示す吊持具に、電動ドリルを吊持した状態を示す図で、電動ドリルの回転軸の軸方向から見た図である。
【考案を実施するための形態】
【００１５】
以下、本考案の１つの実施例にかかる電動ドリルの吊持具を、図面を参照しながら具体的に説明する。
【実施例】
【００１６】
図１において、Ａは電動ドリルの吊持具で、かかる吊持具Ａは概略の全体形状が略均一の厚さ（この実施では、１．５ｍｍ〜３ｍｍ厚程度）を有する帯状の形態を備えた本体部分１と、前記本体部分１に付設され、電動ドリルＢ（図３の二点鎖線を参照）に付着されているフック状の吊持片１０（図３参照）を係止・保持するための、吊持片保持部２とを有する。
【００１７】
前記吊持具Ａの本体部分１は、図２に示すように、ベルトＣのズボンＤ側、つまりベルトＣとズボンＤとの間の空間Ｓを通すことができるよう構成されている。そして、図１，図２に示すように、前記本体部分１の上端部には先端部１ａを有し、かかる先端部１ａは、図１に示すように、ベルトＣの内方を通し易いように、先端方がその基端方に比べて幅が徐々に狭くなった略断頭三角形状に形成されている。前記先端部１ａは、かかる略断頭三角形状の形態のものに代えて、中央部が頂部をなすような半円（半楕円を含む）状の形態のものであってもよい。あるいは、前記ベルトＣとズボンＤの間の空間Ｓを通し易い構成であれば、他の形態であってもよい。
また、この実施例では、前記先端部１ａの先端部位には電動ドリルＢの係止索Ｅ（図３参照）の係止部１１を係合する円筒穴（円形穴）１ｃが形成されている。前記係止索Ｅは電動ドリルＢの落下を防止するためのものである。また、前記円筒穴１ｃは、この実施例の場合には、前記本体部分１に金属製の所謂「鳩目」を打つことによって形成されている。もちろん、前記金属製に代えて「樹脂製」あるいはその他の材質のものであってもよい。
【００１８】
そして、前記先端部１ａの又は当該先端部１ａの基端より（図１において下端より）の部位の、背面側に、もう１枚の板部材１ｄを縫着することによって、前記吊持片保持部２が形成されている。前記縫着は、この実施例の場合には、リベット１３によりなされている。しかし、前記縫着はリベット以外、例えば糸による縫着であってもよい。
そして、前記吊持片保持部２は、前記板部材１ｄと前記本体部分１とが相まって、それらの間に、図３に図示するように、電動ドリルＢ（図３の二点鎖線を参照）の底部に固着形成されている吊持片１０を係止・保持（挟持）することができる。具体的には、前記板部材１ｄと本体部分１との間に、電動ドリルＢの底部に位置するバッテリー部分１４から延設される形態の吊持片１０が差し込まれることによって、係止・保持されるよう構成されている（図３参照）。前記吊持片１０に代えて、図示しないが、他の形態、例えば、針(棒)金状のものを屈曲させて形成された形態のもの、あるいはその他の形態のものであってよい。
【００１９】
また、前記本体部分１の吊持片保持部２の基端方（図１において下端方）の部位には、自由端３ａが先端方を向くように設けられた舌片３が形成されている。
前記舌片３は、図１あるいは図２，図３に図示するように、前記本体部分１の下部中央部に、逆Ｕ字状の溝（厚み方向に貫通した溝）１４を形成することによって、当該逆Ｕ字状の中央に舌状の形態をなすよう形成されている。
また、前記舌片３は、図２に図示するように、ベルトＣの表面側に導き易いように、その自由端３ａが本体部分１の表面１５からその延長線側にさらに遠ざかる側（使用に際しベルトＣの表面側：図２の矢印ｎの方向参照）に屈曲している。また、前記舌片３は、図１に図示するように、ベルトＣの表面側に導き易いように、先端方がその基端方に比べて幅が徐々に狭くなった略断頭三角形状に形成されている。
【００２０】
ところで、図１に二点鎖線で表されるように、前記本体部分１の、前記舌片３と前記板部材１ｄが取着されている部位との長手方向における中間に、本体部分１の剛性を部分的に低くする手段（構成）１６（図１の二点鎖線参照）を形成することが望ましい。前記剛性を低くする手段１６として、例えば、図１に図示するように幅を狭くして「くびれ」を形成してもよいし、あるいは図示しないが、その部分の厚みを薄くしてもよい。または、図示しないがこの部分のみ剛性の低い別の材質で構成してもよい。
【００２１】
前述のように構成された本実施例にかかる電動ドリルの吊持具Ａは、使用に際して以下のような作用を奏する。すなわち、本電動ドリルの吊持具Ａによれば、前記先端部１ａを上端にして下方からベルトＣのズボンＤ側に、つまり、図２（あるいは図１）に図示するように、ベルトＣとズボンＤとの間の空間に挿入し、図１，図２の矢印ｙに示すように，その先端を上方へ引き上げて、前記舌片３の先端である自由端３ａをベルトＣの表面側へ導きながら引っ張り上げる。この際、本実施例にかかる吊持具Ａでは、前述のように舌片３の自由端３ａが本体部分１の表面１５からその延長線側にさらに遠ざかる側（使用に際しベルトＣの表面側：図２の矢印ｎ参照）に屈曲している。このため、また、前述した如く先端方がその基端方に比べて幅が徐々に狭くなった略断頭三角形状に形成されているため、当該舌片３を容易にベルトＣの表面側に導くことができる。
そして、前記先端部１ａを前述のように引っ張り上げた状態でベルトＣの表面側（反ズボン側）に曲げる（図２の状態から図３の状態参照）。
前記曲げられることによって、前記吊持具Ａの背面側に設けられた前記吊持片保持部２（板部材１ｄ）が表側を向く（図３参照）。
かかる吊持片保持部２に、電動ドリルＢに付設された吊持片１０を係止すれば、前記電動ドリルＢを吊持具Ａに保持することができる（図３参照）。
なお、前記吊持片保持部２が嵩張るような形態に構成されている場合には、本体部分１の基端を前記ベルトＣの上方から下方に向けて、ベルトＣとズボンＤとの間の空間に挿入してもよい。もちろん、図１〜図３に図示する実施例においても、上方から下方に向けて、ベルトＣとズボンＤとの間の空間Ｓに、挿入するように使用することもできる。
【００２２】
一方、前述のように本吊持具Ａに保持された状態の電動ドリルＢを使用する際には、電動ドリルＢのグリップ部分２０を手で把持して、当該電動ドリルＢの吊持片１０を吊持具Ａの吊持片保持部２から上方へ引き抜けば、電動ドリルＢを簡単に且つ迅速に使用することができる。
【００２３】
なお、前記実施例は単なる実施例であって本考案の技術的思想を逸脱しない範囲で、種々の形態で実施できることは言うまでもない。
【産業上の利用可能性】
【００２４】
本考案にかかる電動ドリルの吊持具は、建築や土木の産業分野において、また、吊持具等を製造する製造分野において利用することができる。
【符号の説明】
【００２５】
Ａ…電動ドリルの吊持具
Ｂ…電動ドリル
１…本体部分
１ａ…先端部
２…吊持片保持部
３…舌片
３ａ…自由端
【図１】
0003198546.tif 000003
【図２】
0003198546.tif 000004
【図３】
0003198546.tif 000005